(57)【要約】【課題】環境変動の影響を抑えた、有益な測定結果を得ることのできる血圧測定装置を提供する。【解決手段】血圧計１のＣＰＵ４０は、温度測定部５０により環境温度を測定し、所定のしきい値から定められる推奨環境内であるか否かを判断する。ＣＰＵ４０は、環境温度が推奨環境内である場合に、圧力センサ２３で測定された測定用空気袋１３の内圧変化に基づいて血圧値を算出する。【選択図】図２
2009172098.tif 000002
【特許請求の範囲】
【請求項１】
測定用流体袋と、
前記測定用流体袋の内圧変化を測定するセンサと、
前記センサで得られる前記測定用流体袋の内圧変化に基づいて、血圧値を算出する血圧測定手段と、
前記血圧値の算出処理に関連して、環境情報を入力する環境情報入力手段と、
前記環境情報が、しきい値に基づいて設定される推奨環境内であるか否かを判断する判断手段と、
前記しきい値を記憶するしきい値記憶手段と、
前記しきい値記憶手段に記憶された前記しきい値を変更する変更手段と、
前記判断手段において前記推奨環境内であると判断された前記環境情報に関連した前記血圧値を出力するよう制御する制御手段と、
前記判断手段において前記環境情報が前記推奨環境外であると判断されたときにその旨を報知する報知手段とを備える、血圧測定装置。
【請求項２】
前記変更手段は、前記しきい値の入力を受付ける入力手段を含む、請求項１に記載の血圧測定装置。
【請求項３】
測定結果を格納するための記憶手段と、
算出された前記血圧値と前記環境情報とを関連づけて、前記記憶手段に格納するための記録処理手段とをさらに備え、
前記変更手段は、前記記憶手段に記憶されている前記環境情報に基づいてしきい値を算出する算出手段を含み、前記しきい値記憶手段に記憶された前記しきい値を、前記算出手段で算出されたしきい値に変更する、請求項１に記載の血圧測定装置。
【請求項４】
前記制御手段は、前記判断手段において前記推奨環境内であると判断されたときに、前記血圧測定手段において血圧値を算出するように制御する、請求項１〜３のいずれかに記載の血圧測定装置。
【請求項５】
前記判断手段は、前記環境情報の、前記推奨環境からの乖離具合を判断し、
前記報知手段は、前記判断結果に応じて推奨行動を報知する、請求項１〜４のいずれかに記載の血圧測定装置。
【請求項６】
測定用流体袋と、前記測定用流体袋の内圧変化を測定するセンサと、前記血圧値の算出処理に関連して環境情報を入力する環境情報入力手段とを備える血圧測定装置における血圧測定データの処理方法であって、
前記環境情報入力手段で環境情報を入力するステップと、
前記環境情報がしきい値に基づいて設定される推奨環境内であるときに、前記センサで得られる前記測定用流体袋の内圧変化に基づいて、血圧値を算出するステップと、
前記環境情報が前記推奨環境外であるときに、その旨を報知するステップとを備える、血圧測定データの処理方法。
【請求項７】
測定用流体袋と、前記測定用流体袋の内圧変化を測定するセンサと、前記血圧値の算出処理に関連して環境情報を入力する環境情報入力手段と、算出された前記血圧値と前記環境情報とを関連づけて格納するための記憶手段とを備える血圧測定装置における血圧測定データの処理方法であって、
前記記憶手段に記憶される前記環境条件よりしきい値を算出するステップと、
前記環境情報入力手段で環境情報を入力するステップと、
前記環境情報が前記しきい値に基づいて設定される推奨環境内であるときに、前記センサで得られる前記測定用流体袋の内圧変化に基づいて、血圧値を算出するステップと、
前記環境情報が前記推奨環境外であるときに、その旨を報知するステップとを備える、血圧測定データの処理方法。
【請求項８】
測定用流体袋と、前記測定用流体袋の内圧変化を測定するセンサと、前記血圧値の算出処理に関連して環境情報を入力する環境情報入力手段とを備える血圧測定装置における血圧測定データの処理方法であって、
前記センサで得られる前記測定用流体袋の内圧変化に基づいて、血圧値を算出するステップと、
前記血圧値の算出処理に関連して、前記環境情報入力手段で環境情報を入力するステップと、
前記環境情報がしきい値に基づいて設定される推奨環境内であるときに、前記血圧値を出力するステップと、
前記環境情報が前記推奨環境外であるときに、その旨を報知するステップとを備える、血圧測定データの処理方法。
【発明の詳細な説明】
【技術分野】
【０００１】
この発明は、血圧測定装置およびこの血圧測定装置で測定された測定データを処理する血圧測定データの処理方法に関する。
【背景技術】
【０００２】
特開２００４−１８０９１０号公報（以下、特許文献１）に開示されているような、オシロメトリック方式の血圧測定装置では、空気袋を内包する腕帯（カフ）を測定者である生体の所定部位に巻付けて固定し、空気袋を加減圧してその内圧の初期状態からの変化である内圧変化を測定することで、測定者の血圧を計測している。
【０００３】
ここで、日常の健康管理として、血圧値を日々測定、管理することが重要であり、家庭向けの血圧計も普及している。人間の血圧値は、身体的要素、精神的要素の他、気温や温度のような環境要素によって、変動するものであり、このような変動があること自体は、正常な状態である。
【０００４】
しかし、変動幅が人体の限界を超えた場合には、当該人体にとっての健康へのリスクとなる。たとえば、家庭内においてさえも、風呂場やトイレなどでは、冬場においては、温度などの環境変動が大きくなる結果、血管系の疾患に起因する事故が多発する傾向にあることが経験的に知られている。このようなリスクに対しては、たとえば、風呂場暖房などにより、環境変動自体を抑制しようとする対処が採られる場合がある。
【０００５】
一方、上述したような血圧計では、日々血圧を記録し、時間経過による血圧の変動を表示することで、心血管系のリスクに対するデータを得ることができ、このようなデータは医師による診断に用いられることもある。
【０００６】
ここで、従来の血圧計としては、早朝高血圧確認機能など、血圧計内のタイマによる時刻情報により、時間帯ごとの血圧値を表示、比較するものがある。しかしながら、これらは実際に環境を測定しているものではなく、特定の、特に血圧の変動が激しい時間帯での測定を定期的に行なうことにより、危険因子を効率よく予測するためのものである。
【０００７】
また、特許文献２には、血圧計に温度計をつけて、血圧測定結果とその時点の環境温度の測定結果との記録を同時に表示するものが公開されている。
【０００８】
さらに、特許文献３には、耳介の適所に装着した血圧測定装置を用いて連続的に血圧を測定する血圧測定システムであって、耳介近傍の外気温度と血圧値とを対応づけて記憶しておき、最高血圧と最低血圧との対応の分布を２次元表示することが可能なシステムが開示されている。
【特許文献１】特開２００４−１８０９１０号公報
【特許文献２】特開平３−２３１６２９号公報
【特許文献３】特開２００６−２８０３９２号公報
【発明の開示】
【発明が解決しようとする課題】
【０００９】
しかしながら、これらの技術は、環境の情報を単に並べて表示しているものであり、血圧測定結果としては、温度などの環境変動要素が含まれた状態で表示されるため、血圧変動などを診断する際には誤差を含むという問題点がある。
【００１０】
本発明はこのような問題に鑑みてなされたものであって、環境変動の影響を抑えた、有益な測定結果を得ることのできる血圧測定装置および血圧測定データの処理方法を提供することを目的とする。
【課題を解決するための手段】
【００１１】
上記目的を達成するために、本発明のある局面に従うと、血圧測定装置は、測定用流体袋と、測定用流体袋の内圧変化を測定するセンサと、センサで得られる測定用流体袋の内圧変化に基づいて、血圧値を算出する血圧測定手段と、血圧値の算出処理に関連して、環境情報を入力する環境情報入力手段と、環境情報が、しきい値に基づいて設定される推奨環境内であるか否かを判断する判断手段と、しきい値を記憶するしきい値記憶手段と、しきい値記憶手段に記憶されたしきい値を変更する変更手段と、判断手段において推奨環境内であると判断された環境情報に関連した血圧値を出力するよう制御する制御手段と、判断手段において環境情報が推奨環境外であると判断されたときにその旨を報知する報知手段とを備える。
【００１２】
好ましくは、変更手段は、しきい値の入力を受付ける入力手段を含む。
好ましくは、血圧測定装置は、測定結果を格納するための記憶手段と、算出された血圧値と環境情報とを関連づけて記憶手段に格納するための記録処理手段とをさらに備え、変更手段は、記憶手段に記憶されている環境情報に基づいてしきい値を算出する算出手段を含み、しきい値記憶手段に記憶されたしきい値を、算出手段で算出されたしきい値に変更する。
【００１３】
好ましくは、制御手段は、判断手段において推奨環境内であると判断されたときに、血圧測定手段において血圧値を算出するように制御する。
【００１４】
好ましくは、判断手段は、環境情報の、推奨環境からの乖離具合を判断し、報知手段は、判断結果に応じて推奨行動を報知する。
【００１５】
本発明の他の局面に従うと、血圧測定データの処理方法は、測定用流体袋と、測定用流体袋の内圧変化を測定するセンサと、血圧値の算出処理に関連して環境情報を入力する環境情報入力手段とを備える血圧測定装置における血圧測定データの処理方法であって、環境情報入力手段で環境情報を入力するステップと、環境情報がしきい値に基づいて設定される推奨環境内であるときに、センサで得られる測定用流体袋の内圧変化に基づいて、血圧値を算出するステップと、環境情報が推奨環境外であるときに、その旨を報知するステップとを備える。
【００１６】
本発明のさらに他の局面に従うと、血圧測定データの処理方法は、測定用流体袋と、測定用流体袋の内圧変化を測定するセンサと、血圧値の算出処理に関連して環境情報を入力する環境情報入力手段と、算出された血圧値と環境情報とを関連づけて格納するための記憶手段とを備える血圧測定装置における血圧測定データの処理方法であって、記憶手段に記憶される環境条件よりしきい値を算出するステップと、環境情報入力手段で環境情報を入力するステップと、環境情報がしきい値に基づいて設定される推奨環境内であるときに、センサで得られる測定用流体袋の内圧変化に基づいて、血圧値を算出するステップと、環境情報が推奨環境外であるときに、その旨を報知するステップとを備える。
【００１７】
本発明のさらに他の局面に従うと、血圧測定データの処理方法は、測定用流体袋と、測定用流体袋の内圧変化を測定するセンサと、血圧値の算出処理に関連して環境情報を入力する環境情報入力手段とを備える血圧測定装置における血圧測定データの処理方法であって、センサで得られる測定用流体袋の内圧変化に基づいて、血圧値を算出するステップと、血圧値の算出処理に関連して、環境情報入力手段で環境情報を入力するステップと、環境情報がしきい値に基づいて設定される推奨環境内であるときに、血圧値を出力するステップと、環境情報が推奨環境外であるときに、その旨を報知するステップとを備える。
【発明の効果】
【００１８】
本発明によると、環境変化の影響を抑えた、有益な血圧の測定結果を得ることができる。
【発明を実施するための最良の形態】
【００１９】
以下に、図面を参照しつつ、本発明の実施の形態について説明する。以下の説明では、同一の部品および構成要素には同一の符号を付してある。それらの名称および機能も同じである。
【００２０】
［第１の実施の形態］
図１は、第１の実施の形態にかかる血圧測定装置（以下、血圧計）１の外観の概略図である。
【００２１】
図１を参照して、血圧計１は、本体２と、測定部位である上腕に巻付ける腕帯５とを備え、それらがエア管１０で接続される。本体２の正面には、ボタン等の操作部３と、測定結果等を表示する表示器４とが配備される。
【００２２】
操作部３には、電源のＯＮ／ＯＦＦを指示するためのボタン３−１、測定の開始／停止を指示するためのボタン３−２、およびユーザを選択するためのボタン３−３が含まれる。
【００２３】
腕帯５には測定用空気袋１３（図２参照）が配置され、腕帯５を測定部位である上腕に巻付けることで測定用空気袋１３が測定部位に押付けられる。
【００２４】
図２は、血圧計１のハードウェア構成の具体例を示すブロック図である。
図２を参照して、血圧計１は、本体２と、測定部位である上腕に巻付ける腕帯５とを備え、それらがエア管１０で接続される。本体２の正面には、ボタン等の操作部３と、測定結果等を表示する表示器４とが配備される。腕帯５には測定用空気袋１３が配置され、腕帯５を測定部位である上腕に巻付けることで測定用空気袋１３が測定部位に押付けられる。
【００２５】
測定用空気袋１３は測定用エア系２０に接続されている。測定用エア系２０には、測定用空気袋１３の内圧変化を測定する圧力センサ２３、測定用空気袋１３に対する給気／排気を行なうポンプ２１、および弁２２が含まれる。
【００２６】
また、血圧計１の本体２内には、血圧計１全体を制御するＣＰＵ（Central Processing Unit）４０と、測定用エア系２０に接続される増幅器２８、ポンプ駆動回路２６、および弁駆動回路２７と、増幅器２８に接続されるＡ／Ｄ（Analog to Digital）変換器２９と、ＣＰＵ４０で実行されるプログラムや測定結果を記憶するメモリ部４１とが含まれる。
【００２７】
ＣＰＵ４０は、操作部３から入力される操作信号に基づいてメモリ部４１に記憶されている所定のプログラムを実行し、ポンプ駆動回路２６および弁駆動回路２７に制御信号を出力する。ポンプ駆動回路２６および弁駆動回路２７は、制御信号に従ってポンプ２１および弁２２を駆動させ、血圧測定動作を実行させる。
【００２８】
圧力センサ２３は測定用空気袋１３の内圧変化を検出し、検出信号を増幅器２８に入力する。入力された圧力信号は増幅器２８において所定振幅まで増幅され、Ａ／Ｄ変換器２９においてデジタル信号に変換された後にＣＰＵ４０に入力される。ＣＰＵ４０は、圧力センサ２３から得られた測定用空気袋１３の内圧変化に基づいて所定の処理を実行し、その結果に応じてポンプ駆動回路２６および弁駆動回路２７に上記制御信号を出力する。また、ＣＰＵ４０は、圧力センサ２３から得られた測定用空気袋１３の内圧変化に基づいて血圧値を算出し、測定結果を表示器４に表示させるために出力する。
【００２９】
弁２２は、ＣＰＵ４０からの制御信号に従った弁駆動回路２７によってその開閉が制御されて、測定用空気袋１３内の空気を排出する。
【００３０】
さらに、血圧計１は、血圧測定時の環境温度を測定するための温度測定部５０と、測定日時を得るためのタイマ部５２とを備える。なお、血圧測定時の環境を特徴づけるための「環境情報」としては、図２の構成で測定される環境温度の他に、環境の湿度、振動、騒音、明るさなどがある。このような環境情報を測定する場合には、温度測定部５０に代えて、あるいは、温度測定部５０に加えて、これらの情報を測定値として得るためのセンサが設けられ、測定結果がＣＰＵ４０に与えられる。また、血圧計１は温度測定部５０に替えて、他の温度測定装置で測定された温度情報を入力するための入力部を備え、入力された温度情報がＣＰＵ４０に与えられてもよい。
【００３１】
図３は、第１の実施の形態にかかる血圧計１で、所定環境下で血圧測定を実行させる処理を行なうための機能構成の具体例を示すブロック図である。図３に示される機能は、ＣＰＵ４０がメモリ部４１に記憶されている所定のプログラムを実行することで主にＣＰＵ４０により実行される機能である。また、図３に示される機能のうちの一部または全部が、ハードウェアによって実現されてもよい。以降、同様である。
【００３２】
図３を参照して、第１の実施の形態にかかる血圧計１の上記機能は、血圧測定部１０１、環境情報入力部１０３、判断部１０５、しきい値記憶部１０７、報知部１０９、表示処理部１１１、および血圧記録処理部１１３を含む。
【００３３】
環境情報入力部１０３は、血圧測定部１０１による血圧測定に連動して、環境情報を得るためのセンサ、たとえば、温度測定部５０からのデータとしての環境情報の入力を受け付け、判断部１０５に入力する。
【００３４】
しきい値記憶部１０７はメモリ４１またはＣＰＵ４０に含まれる記憶領域などで構成されて、予め環境情報のしきい値を記憶する。判断部１０５は、環境情報入力部１０３から入力された環境情報である環境温度としきい値とを比較し、環境温度が、しきい値から定められる範囲である推奨領域内にあるか否かを判断する。環境温度が上記推奨領域外である場合には、判断部は報知部１０９に報知動作をさせるための制御信号を入力し、上記推奨領域内である場合には、血圧測定部１０１に血圧測定を実行させるための制御信号を入力する。
【００３５】
血圧測定部１０１は測定用空気袋１３や圧力センサ２３、ポンプ２１、弁２２、ポンプ駆動回路２６、弁駆動回路２７、増幅器２８、およびＡ／Ｄ変換器２９などを含んで構成され、ボタン３−２の操作による操作信号の入力を受付けて、後に説明する血圧測定処理を実行する。血圧測定部１０１で測定して得られる測定値は血圧記録処理部１１３および表示処理部１１１に入力される。
【００３６】
血圧記録処理部１１３は、増幅器２８およびＡ／Ｄ変換器２９を介して圧力センサ２３からの測定結果の入力を受付けて、タイマ部５２により得られる測定日時とともに、メモリ部４１へのデータの格納処理を行なう。表示処理部１１１は、血圧測定部１０１から入力された測定結果を表示器４に表示するための処理を行なう。
【００３７】
報知部１０９は、判断部１０５での判断結果に応じて、決定された警告表示または推奨行動を表示器４に表示する処理を行なう。なお、警告の通知としては、このような表示器４の表示に限られず、報知部１０９により、ＬＥＤ（Light Emitting Diode）の点灯の態様やブザーによる音等によりユーザに通知することとしてもよい。
【００３８】
図４は、第１の実施の形態にかかる血圧計１での、所定の環境下で血圧測定を行なわせるための処理の具体例を示すフローチャートである。図４のフローチャートに示される処理はたとえばボタン３−１に示される電源ボタンが操作されてＣＰＵ４０に電力が供給されることにより開始され、ＣＰＵ４０がメモリ部４１に記憶されている所定のプログラムを実行し、図３に示される各機能を発揮させることにより実現される。
【００３９】
図４を参照して、電源がＯＮされると、まず、ＣＰＵ４０により実現される判断部１０５においてしきい値記憶部１０７から第１のしきい値および第２のしきい値が読込まれた後（ステップＳ１０１）、温度測定部５０で温度が測定されて、環境情報入力部１０３により環境温度の測定結果が受付けられる（ステップＳ１０３）。ここでは具体的に、環境情報は環境温度であるものとし、第１のしきい値は２１度、第２のしきい値は２５度であるものとする。
【００４０】
続いて、判断部１０５において、上記ステップＳ１０３で入力された環境温度が第１のしきい値および第２のしきい値から定められる推奨環境内にあるか否かを判断する（ステップＳ１０５）。ここでは具体的に、推奨環境は第１のしきい値である２１度から第２のしきい値である２５度までの範囲とし、測定温度が２１度〜２５度の推奨環境内にあるか否かが判断される。
【００４１】
ステップＳ１０５での判断の結果、ステップＳ１０３で測定された環境温度が推奨環境内にある場合、つまり２１度〜２５度を満たす場合には（ステップＳ１０５でＹＥＳ）、判断部１０５は測定開始の制御信号を血圧測定部１０１に入力し（ステップＳ１０７）、血圧測定部１０１により、血圧測定が実行される（ステップＳ１０９）。このとき、ＣＰＵ４０は、同時に、タイマ部５２から測定日時を受付けてもよい。
【００４２】
ステップＳ１０９での測定で得られた血圧値は表示処理部１１１において表示のための処理が実行され、表示器４に表示される（ステップＳ１１１）。また、血圧記録処理部１１３においてメモリ部４１の所定領域に記録するための処理が実行され、メモリ部４１に記録される（ステップＳ１１３）。以上で一連の処理が終了する。
【００４３】
一方、ステップＳ１０５での判断の結果、ステップＳ１０３で測定された環境温度が推奨環境外にある場合、つまり第２のしきい値である２５度よりも高い場合、または第１のしきい値である２１度よりも低い場合には（ステップＳ１０５でＮＯ）、判断部１０５は血圧測定不可であると判断し（ステップＳ１１５）、報知部１０９において、後述する警告や推奨行動などを表示器４に表示するための処理が行なわれ（ステップＳ１１７）、血圧測定が行なわれずに一連の処理が終了する。
【００４４】
図５は、上記ステップＳ１０９での血圧測定処理の具体例を示すフローチャートである。図５を参照して、はじめに、ＣＰＵ４０は、血圧計１の初期化処理として、各部を制御して空気袋１３内の空気を排気し、圧力センサ２３の０ｍｍＨｇ補正を行なう（ステップＳ２０６）。次に、ＣＰＵ４０は、各部を制御して、被測定者の最高血圧＋４０ｍｍＨｇ程度まで加圧する（ステップＳ２０８）。そして、徐々にカフ圧を減圧していく（ステップＳ２１０）。この減圧過程においてカフ圧を圧力センサ２３で検出して、ＣＰＵ４０は検出された圧力に基づき血圧（最高血圧および最低血圧）値ならびに脈拍数を算出する（ステップＳ２１２）。そして、算出された血圧値および脈拍数を表示器４に表示する（ステップＳ２１４）。ステップＳ２０８〜Ｓ２１２の血圧測定のための処理は従来の電子血圧計のそれと同様である。なお、ここでは血圧測定は減圧過程でするとしているが加圧過程で行なうようにしてよい。
【００４５】
血圧計１において上記処理が実行されることで、血圧測定に連動して測定された環境温度が推奨環境内である第１のしきい値である２１度から第２のしきい値である２５度であるときに血圧測定が行なわれる。つまり、上記処理が行なわれることで、予め設定した所定環境下で血圧測定が行なわれる。さらに、血圧測定に連動して測定された環境温度が推奨環境外である第２のしきい値である２５度よりも高いとき、または第１のしきい値である２１度よりも低いときには、その旨が報知される。このため、第１の実施の形態にかかる血圧計１では所定環境下で血圧が行なわれ、環境変動の影響の少ない測定値が得られる。
【００４６】
報知部１０９での報知としては、たとえばその旨を表示器４に表示するものであってもよい。または、ＬＥＤの点灯の態様やブザーによる音等によりユーザに報知するものであってもよい。さらには、判断部１０５は入力された環境温度が推奨環境からどのくらい乖離しているかを判断し、その乖離具合を表示器４に表示するものであってもよい。具体的な報知方法としては、図６（Ａ）に示されるようなレベルバー表示などで推奨環境からの乖離具合を表示器４に表示するなどが挙げられる。また、判断部１０５は入力された環境温度が推奨環境よりも高温である環境領域に存在するか、推奨環境よりも低温である環境領域に存在するかを判断し、その判断結果に応じて推奨行動を表示器４に表示するものであってもよい。具体的な報知方法としては、環境温度が推奨環境よりも低温である環境領域に存在する場合には、図６（Ｂ）に示されるような「部屋を暖かくしてください」などの推奨行動を表示器４に表示するなどが挙げられる。
【００４７】
血圧計１には、図７に示されるように、メモリ部４１に記録された血圧値を経過時間や経過日に沿って表示器４に表示させる、「メモリ表示」などと言われる機能が備えられている。図７に示されるように、メモリ部４１に記録された血圧値が時間経過に沿って変動がある場合に、血圧計１においては上記処理が実行されて所定環境下で血圧測定が行なわれるため、その変動要因が環境の変化以外によるものであると推測され、環境変動の影響の少ない、医師の診断等に有用な測定結果を提供することができる。
【００４８】
なお、以上の例では環境情報が環境温度である場合について説明しているが、環境情報が騒音である場合も同様である。図８は、環境情報が騒音である場合の、第１の実施の形態にかかる血圧計１での処理の具体例を示すフローチャートである。
【００４９】
図８を参照して、この場合には、上記ステップＳ１０１において判断部１０５はしきい値としてたとえば４５ｄＢなどをしきい値記憶部１０７から読込み、上記ステップＳ１０３での環境温度の測定結果の受付けに替えて、ステップＳ１０４で騒音の測定結果を環境情報として受付ける。そして、ステップＳ１０５での判断に替えて、ステップＳ１０６で判断部１０５は入力された騒音値がしきい値である４５ｄＢから定められる推奨環境として、４５ｄＢ以下である推奨環境内にあるか否かを判断する。以降は、図４のステップＳ１０７以下と同様の処理が行なわれる。
【００５０】
［第１の実施の形態の変形例］
上記具体例では、判断部１０５で環境情報が推奨環境内であるか否かを判断するために用いられたしきい値が予めしきい値記憶部１０７に記憶されているものとしているが、しきい値は、たとえばユーザや医師などによって設定可能、または変更可能であってもよい。
【００５１】
図９は、第１の実施の形態の変形例にかかる血圧計１の外観の概略図である。変形例においては、操作部３には、ボタン３−１〜３−３に加えて、しきい値を入力または変更するためのボタン３−４が含まれる。
【００５２】
図１０は、第１の実施の形態の変形例にかかる血圧計１で所定環境下で血圧測定を実行させる処理を行なうための機能構成の具体例を示すブロック図である。変形例においては、図３に示された機能構成に加えてしきい値設定部１１５が含まれる。
【００５３】
しきい値設定部１１５はボタン３−４などから構成され、しきい値の入力を受付け、またはしきい値記憶部１０７に記憶されているしきい値を変更を受付けて、その値をしきい値記憶部１０７に記憶させる。
【００５４】
このような構成とすることで、ユーザや医師が、ユーザや環境に応じたしきい値を設定することができ、より有用な測定結果を提供することができる。
【００５５】
［第２の実施の形態］
第２の実施の形態にかかる血圧計１は、所定の間隔で環境温度を測定し、所定環境を満たすときに測定可能である旨を報知する構成である。第２の実施の形態にかかる血圧計１の外観およびハードウェア構成は、図１および図２に示されたものと同様である。
【００５６】
図１１は、第２の実施の形態にかかる血圧計１で、所定環境下で血圧測定を実行させる処理を行なうための機能構成の具体例を示すブロック図である。図１１を参照して、第２の実施の形態にかかる血圧計１の上記機能は、図３に示された機能に加えて、指示入力部１００をさらに含んで構成される。
【００５７】
指示入力部１００は操作部３のボタン３−２から入力される操作信号などを受付け、その操作信号に従って、血圧測定部１０１に測定開始を指示する信号を入力する。第２の実施の形態にかかる血圧計１では、判断部１０５は、環境情報が推奨環境外であると判断された場合には、血圧測定部１０１に対して、血圧測定の開始を行なわないような制御信号を入力することが好ましい。血圧測定部１０１は、指示入力部１００からの上記信号と判断部１０５からの上記制御信号とに基づいて血圧測定を実行する。
【００５８】
図１２は、第２の実施の形態にかかる血圧計１での、所定の環境下で血圧測定を行なわせるための処理の具体例を示すフローチャートである。図１２のフローチャートに示される処理もまた、たとえばボタン３−１に示される電源ボタンが操作されてＣＰＵ４０に電力が供給されることにより開始され、ＣＰＵ４０がメモリ部４１に記憶されている所定のプログラムを実行し、図１１に示される各機能を発揮させることにより実現される。
【００５９】
図１２を参照して、電源がＯＮされると、図４のステップＳ１０１〜Ｓ１０５の処理が実行されて、判断部１０５において、環境温度が推奨環境内にあるか否かが判断される。
【００６０】
ステップＳ１０５での判断の結果、ステップＳ１０３で測定された環境温度が推奨環境内にある場合、つまり２１度〜２５度を満たす場合には（ステップＳ１０５でＹＥＳ）、報知部１０５は、血圧測定可能である旨を示す表示を表示器４に表示するための処理を行なう（ステップＳ３０１）。その場合、その後に指示入力部１００において測定開始の指示を受付けると（ステップＳ３０３でＹＥＳ）、図４のステップＳ１０７〜Ｓ１１３の処理が実行される。
【００６１】
一方、ステップＳ１０５での判断の結果、ステップＳ１０３で測定された環境温度が推奨環境外にある場合、つまり第２のしきい値である２５度よりも高い場合、または第１のしきい値である２１度よりも低い場合には（ステップＳ１０５でＮＯ）、報知部１０９において、上述のような警告や推奨行動などを表示器４に表示するための処理が行なわれる（ステップＳ１１７）。その後、処理がステップＳ１０３に戻され、環境温度が推奨環境内であると判断されるまでステップＳ１０３，Ｓ１０５，Ｓ１１７の処理が、所定の間隔で繰返される。
【００６２】
血圧計１において上記処理が実行されることでも、環境温度が推奨環境内である第１のしきい値である２１度から第２のしきい値である２５度であるときに血圧測定が行なわれ、推奨環境外である第２のしきい値である２５度よりも高いとき、または第１のしきい値である２１度よりも低いときにはその旨が報知されて血圧測定が行なわれない。このため、第２の実施の形態にかかる血圧計１でも所定環境下で血圧が行なわれ、環境変動の影響の少ない測定値が得られる。したがって、医師の診断等に有用な測定結果を提供することができる。
【００６３】
なお、第１の実施の形態と同様に、環境情報が騒音である場合も同様である。また、第１の実施の形態の変形例に示されたように、第２の実施の形態においても、しきい値の入力または変更を受付ける構成とすることができる。
【００６４】
［第３の実施の形態］
第３の実施の形態にかかる血圧計１は、予めしきい値記憶部１０７に記憶されているしきい値に替えて、測定値と関連付けて記憶されている測定時の環境情報からしきい値を算出し、算出されたしきい値を用いて測定可能か否かを判断する構成である。第３の実施の形態にかかる血圧計１の外観およびハードウェア構成は、図１および図２に示されたものと同様である。
【００６５】
図１３は、第３の実施の形態にかかる血圧計１で、所定環境下で血圧測定を実行させる処理を行なうための機能構成の具体例を示すブロック図である。図１３を参照して、第３の実施の形態にかかる血圧計１の上記機能は、図３に示されたしきい値記憶部１０７に替えて、指示入力部１００、環境情報記録処理部１１７、および平均値算出部１１９をさらに含んで構成される。
【００６６】
環境情報記録処理部１１７は、連動する血圧値と対応する環境情報、たとえば、環境温度とを関連づけて、さらに、タイマ部５２により得られる測定日時とともに、操作部３により設定された測定対象となるユーザを識別可能なように、メモリ部４１へデータを記録するための処理を行なう。
【００６７】
平均値算出部１１９は、メモリ部４１に記録された測定値に関連付けられている環境情報の平均値を算出し、判断部１０５に入力する。判断部１０５は、入力された平均値をしきい値として用いる。
【００６８】
指示入力部１００は操作部３のボタン３−２から入力される操作信号などを受付け、その操作信号に従って、血圧測定部１０１に測定開始を指示する信号を入力する。第３の実施の形態にかかる血圧計１では、判断部１０５は、環境情報が推奨環境外であると判断された場合には、血圧測定部１０１に対して、血圧測定の開始を行なわないような制御信号を入力することが好ましい。血圧測定部１０１は、指示入力部１００からの上記信号と判断部１０５からの上記制御信号とに基づいて血圧測定を実行する。
【００６９】
図１４は、第３の実施の形態において、メモリ部４１に記録される測定データの記録状態を示す概念図である。
【００７０】
図１４において示した例では、まず、ユーザＡに対する測定結果であるかユーザＢに対する測定結果であるかに応じて、データの記録領域が分離されている。
【００７１】
たとえば、ユーザＡに対する日時ｔａ１における最高血圧値ＳＹＳａ１、最低血圧値ＤＩＡａ１、ならびに環境温度Ｔａ１とは、互いに関連づけられて、測定データ記録領域４１０Ａに記録される。ユーザＡについての、他の日時、たとえば、日時ｔａ２における測定結果も同様にして、測定データ記録領域４１０Ａに記録される。
【００７２】
同様にして、ユーザＢに対する測定結果は、日時ｔｂ１、最高血圧値ＳＹＳｂ１、最低血圧値ＤＩＡｂ１、ならびに環境温度Ｔｂ１とは、互いに関連づけられて、測定データ記録領域４１０Ｂに記録される。ユーザＢについての、他の日時、たとえば、日時ｔｂ２における測定結果も同様にして、測定データ記録領域４１０Ｂに記録される。
【００７３】
図１５は、第３の実施の形態にかかる血圧計１での、所定の環境下で血圧測定を行なわせるための処理の具体例を示すフローチャートである。図１５のフローチャートに示される処理は、たとえばボタン３−２が操作されてＣＰＵ４０に測定の開始を指示する指示信号が供給されることにより開始され、ＣＰＵ４０がメモリ部４１に記憶されている所定のプログラムを実行し、図１３に示される各機能を発揮させることにより実現される。
【００７４】
図１５を参照して、測定開始が指示されると、始めに平均値算出部１１９において、指示されたユーザについてメモリ部４１に記録されている測定データ数が所定数（ここでは１０）以上あるか否かが判断され（ステップＳ４０１）、所定数以上ないと判断されると（ステップＳ４０１でＮＯ）、以降のステップＳ４０３，Ｓ１０３，Ｓ４０５の処理がスキップされて、図４のステップＳ１０７以降の処理が行なわれる。
【００７５】
記録されている測定データ数が所定数以上であると判断されると（ステップＳ４０１でＹＥＳ）、平均値算出部１１９においてこれら測定データに含まれている環境温度の平均値が算出された後（ステップＳ４０３）、温度測定部５０で温度が測定されて、環境情報入力部１０３により環境温度の測定結果が受付けられる（ステップＳ１０３）。
【００７６】
続いて、図４のステップＳ１０５での判断に替えて、判断部１０５では、上記ステップＳ４０３で算出された平均値をしきい値として用い、上記ステップＳ１０３で入力された環境温度が平均値から定められる推奨環境内にあるか否かが判断される（ステップＳ４０５）。ここでは具体的に、推奨環境はしきい値としての平均値から±５度の範囲とし、測定温度が平均値±５度の推奨環境内にあるか否かが判断される。
【００７７】
ステップＳ４０５での判断の結果、ステップＳ１０３で測定された環境温度が推奨環境内にある場合、つまり平均値±５度を満たす場合には（ステップＳ４０５でＹＥＳ）、図４のステップＳ１０７以降の処理が実行され、血圧測定が行なわれる。
【００７８】
一方、ステップＳ４０５での判断の結果、ステップＳ１０３で測定された環境温度が推奨環境外にある場合、つまり平均値＋５度よりも高い場合、平均値−５度よりも低い場合には（ステップＳ４０５でＮＯ）、報知部１０９において、上述の警告や推奨行動などを表示器４に表示するための処理が行なわれる（ステップＳ１１７）。その後、処理がステップＳ１０３に戻され、環境温度が推奨環境内であると判断されるまでステップＳ１０３，Ｓ４０５，Ｓ１１７の処理が、所定の間隔で繰返される。
【００７９】
第３の実施の形態にかかる血圧計１において上記処理が実行されることでも、環境温度が推奨環境内であるときに血圧測定が行なわれ、推奨環境外であるときにはその旨が報知されて血圧測定が行なわれない。さらに、第３の実施の形態においては、当該ユーザの記録されている測定値に関連付けられている環境情報から上記推奨環境が得られるので、当該ユーザの通常の使用状況に応じた推奨環境を設定することができ、より有益な測定結果を提供することができる。
【００８０】
なお、以上の例では環境情報が環境温度である場合について説明しているが、環境情報が湿度である場合も同様である。図１６は、環境情報が湿度である場合の第３の実施の形態にかかる血圧計１での処理の具体例を示すフローチャートである。
【００８１】
図１６を参照して、この場合には、上記ステップＳ４０１での環境温度の平均の算出に替えて、ステップＳ４０２で環境湿度の平均を算出する。また、上記ステップＳ１０３での環境温度の測定結果の受付けに替えて、ステップＳ１０２で環境湿度の測定結果を環境情報として受付ける。そして、ステップＳ４０５での判断に替えて、ステップＳ４０４で判断部１０５は入力された湿度が湿度の平均値から定められる推奨環境として、平均値±２０％である推奨環境内にあるか否かを判断する。以降は、図１５と同様の処理が行なわれる。
【００８２】
なお、以上の例では、メモリ部４１に記録されている測定データに基づいてしきい値を算出するものとしているが、第１の実施の形態の変形例に示されたようにしきい値記憶部１０７としきい値設定部１１５とを備えて、しきい値設定部１１５が、平均値算出部１１９で算出された平均値を用いてしきい値記憶部１０７に記憶されているしきい値を変更する構成であってもよい。
【００８３】
［第４の実施の形態］
以上の実施の形態では、環境情報が推奨環境外である場合には判断部１０５が血圧測定を行なわせない制御信号を血圧測定部１０１に入力することで血圧測定が行なわれない構成であったが、推奨環境外において血圧測定が行なわれてもよい。その場合について、第４の実施の形態において説明する。第４の実施の形態にかかる血圧計１の外観およびハードウェア構成は、図１および図２に示されたものと同様である。
【００８４】
図１７は、第４の実施の形態にかかる血圧計１で、環境変動を考慮して血圧を測定し、測定結果を表示するための機能構成の具体例を示すブロック図である。図１７を参照して、第４の実施の形態にかかる血圧計１の上記機能は、図３に示された機能に加えて環境情報記録処理部１１７をさらに含んで構成される。環境情報記録処理部１１７は、第３の実施の形態において説明されたものと同様であり、本実施の形態においても、図１４に示されたように、メモリ部４１にユーザごとに、測定値に測定時の環境温度が関連付けて記録される。
【００８５】
さらに、第４の実施の形態にかかる血圧計１では、判断部１０５は、環境情報入力部１０３から入力された環境情報である環境温度、またはメモリ部４１に記録された環境情報である環境温度としきい値とを比較して、環境温度がしきい値から定められる範囲である推奨領域内にあるか否かを判断し、判断結果を報知部１０９または表示処理部１１１に入力する。
【００８６】
図１８は、第４の実施の形態にかかる血圧計１において、測定時に測定結果を表示する処理の具体例を示すフローチャートである。図１８のフローチャートに示される処理は、たとえばボタン３−２が操作されてＣＰＵ４０に測定の開始を指示する指示信号が供給されることにより開始され、ＣＰＵ４０がメモリ部４１に記憶されている所定のプログラムを実行し、図１７に示される各機能を発揮させることにより実現される。
【００８７】
図１８を参照して、測定開始が指示されると、まず、ＣＰＵ４０により実現される判断部１０５においてしきい値記憶部１０７からしきい値（たとえば２１度および２５度）が読込まれた後（ステップＳ５０１）、温度測定部５０で温度が測定されて、環境情報入力部１０３により環境温度の測定結果が受付けられる（ステップＳ５０３）。続いて、血圧測定部１０１により、血圧測定が実行される（ステップＳ５０５）。
【００８８】
続いて、判断部１０５において、上記ステップＳ５０３で入力された環境温度がしきい値である２３度から定められる推奨環境内にあるか否かを判断する（ステップＳ５０７）。その判断の結果、ステップＳ５０３で測定された環境温度が推奨環境内にある場合、つまり第１のしきい値である２１度から第２のしきい値である２５度を満たす場合には（ステップＳ５０７でＹＥＳ）、表示処理部１１１は上記ステップＳ５０５で測定して得られた血圧値を表示器４に通常の形態で表示するための処理を実行する（ステップＳ５０９）。通常の形態での表示とは、たとえば図１に示されるような、最高血圧（ＳＹＳ）、最低血圧（ＤＩＡ）等を表示することを指す。その後、血圧記録処理部１１３および環境情報記録処理部１１７においてメモリ部４１の所定領域に測定値と環境情報とを関連付けて測定データとしてメモリ部４１の所定の記録領域に記録するための処理が実行されてメモリ部４１に記録され（ステップＳ１１３）、一連の処理が終了する。
【００８９】
一方、ステップＳ５０７での判断の結果、ステップＳ５０３で測定された環境温度が推奨環境外にある場合、つまり第２のしきい値である２５度よりも高い場合、または第１のしきい値である２１度よりも低い場合には（ステップＳ５０７でＮＯ）、表示処理部１１１において上記ステップＳ５０５で測定して得られた血圧値を表示器４に通常の形態で表示するための処理が実行されると共に、報知部１０９において、後述する警告や推奨行動などを表示器４に表示するための処理が行なわれる（ステップＳ５１１）。その後に、上述の測定データをメモリ部４１に記録する処理（ステップＳ５１３）が実行されて、一連の処理が終了する。
【００９０】
上記ステップＳ５１１では、図１９（Ａ）に示されるように、上記ステップＳ５０５での測定結果と共に、ステップＳ５０３で測定された環境温度が推奨環境外にある旨を表示器４に表示してもよい。また、判断部１０５は入力された環境温度が推奨環境よりも高温である環境領域に存在するか、推奨環境よりも低温である環境領域に存在するかを判断し、上記ステップＳ５０５での測定結果と共に、その判断結果に応じた推奨行動を表示器４に表示するものであってもよい。具体的には、環境温度が推奨環境よりも低温である環境領域に存在する場合には、図１９（Ｂ）に示されるように、測定結果と共に「室温を上げてください」などの推奨行動を表示器４に表示するものであってもよい。その他の例としては、表示器４に測定結果を表示すると共に、第１の実施の形態において説明されたように、ＬＥＤの点灯の態様やブザーによる音等によりユーザに測定時の環境温度が推奨環境外にある旨を報知してもよい。
【００９１】
第４の実施の形態にかかる血圧計１において上記処理が実行されることで、測定環境が所定環境にない場合であっても血圧測定を行なうことができ、さらに、測定結果と共に、その旨を確認することができる。そのため、ユーザや医師等は、測定結果を確認する際に測定環境が所定環境にないことを考慮して確認することができる。
【００９２】
なお、上記具体例では、上記ステップＳ５１１で環境温度が推奨環境外にあるときに測定された血圧値を表示器４にその旨と共に表示するものとしているが、上記ステップＳ５１１では、報知部１０９が表示器４に環境温度が推奨環境外である報知をする処理のみ行ない、表示処理部１１１が判断部１０５からの制御信号に従って測定された血圧値を表示する処理を行なわない構成であってもよい。そのようにすることで、環境変動の影響が含まれている可能性のある血圧値が表示器５に表示されないようにすることができる。
【００９３】
図２０は、第４の実施の形態にかかる血圧計１において、メモリ部４１に記録された血圧値を経過時間や経過日に沿って表示器４に表示させるための、メモリ表示処理の具体例を示すフローチャートである。図２０のフローチャートに示される処理は、たとえば図示されないメモリ表示を指示するためのボタンが操作されてＣＰＵ４０にメモリ表示処理の開始を指示する指示信号が供給されることにより開始され、ＣＰＵ４０がメモリ部４１に記憶されている所定のプログラムを実行し、図１７に示される各機能を発揮させることにより実現される。
【００９４】
図２０を参照して、測定開始が指示されると、まず、ＣＰＵ４０により実現される判断部１０５においてしきい値記憶部１０７からしきい値（たとえば２１度および２５度）が読込まれた後（ステップＳ６０１）、判断部１０５において、メモリ部４１の該当する記録領域から測定データが読込まれる（ステップＳ６０３）。上述のように、測定データには測定された血圧値に関連付けて測定時の環境情報として環境温度のデータが含まれている。判断部１０５においては、ステップＳ６０３で読込まれた測定データにおいて測定値に関連付けられている環境温度が第１のしきい値である２１度および第２のしきい値である２５度から定められる推奨環境内にあるか否かが判断される（ステップＳ６０５）。この判断は、第４の実施の形態のステップＳ５０７での判断と同様である。
【００９５】
ステップＳ６０５での判断の結果、ステップＳ６０３で読込まれた測定データにおいて環境温度が推奨環境内にある場合、つまり第１のしきい値である２１度から第２のしきい値である２５度を満たす場合には（ステップＳ６０５でＹＥＳ）、判断部１０５は、その測定データをメモリ表示に用いるものと判断し、表示処理部１１１に渡す。一方、ステップＳ６０５での判断の結果、ステップＳ６０３で読込まれた測定データにおいて環境温度が推奨環境外にある場合、つまり第２のしきい値である２５度よりも高い場合、または第１のしきい値である２１度よりも低い場合には（ステップＳ６０５でＮＯ）、判断部１０５は、その測定データをメモリ表示に用いないものと判断し、表示処理部１１１に渡さない（ステップＳ６０９）。上記ステップＳ６０３〜Ｓ６０９の処理は、メモリ部４１の該当する測定データに対して行なわれ、該当するすべての測定データに対して上記処理が完了すると（ステップＳ６１１でＹＥＳ）、表示処理部１１１において、上記ステップＳ６０７で判断部１０５からメモリ表示に用いるとして渡された測定データを用いて、メモリ表示するための処理を実行して図１２に示されるように表示器４に表示させ（ステップＳ６１３）、一連の処理を終了する。
【００９６】
第４の実施の形態にかかる血圧計１において上述のメモリ表示処理が行なわれることで、所定環境下で測定して得られた血圧値からなるメモリ表示を行なうことができる。そのため、図２１に示されるように、メモリ部４１に記録された血圧値が時間経過に沿って変動がある場合に、その変動要因が環境の変化以外によるものであると推測され、環境変動の影響の少ない、医師の診断等に有用な測定結果を提供することができる。
【００９７】
なお、上記具体例では、所定環境下にない場合にも血圧測定が行なわれ、その場合に得られた血圧値も環境情報と関連付けてメモリ部４１の所定領域に記録されるものとしているが、所定環境下で得られた測定データのみ記録される構成であってもよい。そのようにすることで、メモリ表示処理において測定データが推奨環境内であるか推奨環境外であるかの判断を不要とすることができる。または、測定データをメモリ部４１に記録する際に、環境情報と共に、または環境情報に替えて、環境情報が推奨環境内であるか推奨環境外であるかの判断部１０５での判断結果を測定値に関連付けて記録するようにしてもよい。そのようにすることで、メモリ表示処理において判断部１０５での判断を容易にすることができる。
【００９８】
なお、環境情報が騒音や湿度等である場合も同様である。また、第１の実施の形態の変形例に示されたように、第４の実施の形態においても、しきい値の入力または変更を受付ける構成とすることができる。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】第１の実施の形態にかかる血圧計１の外観の概略図である。
【図２】血圧計１のハードウェア構成の具体例を示すブロック図である。
【図３】第１の実施の形態にかかる血圧計１で、所定環境下で血圧測定を実行させる処理を行なうための機能構成の具体例を示すブロック図である。
【図４】第１の実施の形態にかかる血圧計１での、所定の環境下で血圧測定を行なわせるための処理の具体例を示すフローチャートである。
【図５】ステップＳ１０９での血圧測定処理の具体例を示すフローチャートである。
【図６】報知例を説明する図である。
【図７】メモリ表示の具体例を示す図である。
【図８】環境情報が騒音である場合の第１の実施の形態にかかる血圧計１での処理の具体例を示すフローチャートである。
【図９】第１の実施の形態の変形例にかかる血圧計１の外観の概略図である。
【図１０】第１の実施の形態の変形例にかかる血圧計１で所定環境下で血圧測定を実行させる処理を行なうための機能構成の具体例を示すブロック図である。
【図１１】第２の実施の形態にかかる血圧計１で、所定環境下で血圧測定を実行させる処理を行なうための機能構成の具体例を示すブロック図である。
【図１２】第２の実施の形態にかかる血圧計１での、所定の環境下で血圧測定を行なわせるための処理の具体例を示すフローチャートである。
【図１３】第３の実施の形態にかかる血圧計１で、所定環境下で血圧測定を実行させる処理を行なうための機能構成の具体例を示すブロック図である。
【図１４】第３の実施の形態において、メモリ部４１に記録される測定データの記録状態を示す概念図である。
【図１５】第３の実施の形態にかかる血圧計１での、所定の環境下で血圧測定を行なわせるための処理の具体例を示すフローチャートである。
【図１６】環境情報が湿度である場合の第３の実施の形態にかかる血圧計１での処理の具体例を示すフローチャートである。
【図１７】第４の実施の形態にかかる血圧計１で、環境変動を考慮して血圧を測定し、測定結果を表示するための機能構成の具体例を示すブロック図である。
【図１８】第４の実施の形態にかかる血圧計１において、測定時に測定結果を表示する処理の具体例を示すフローチャートである。
【図１９】表示例を説明する図である。
【図２０】第４の実施の形態にかかる血圧計１でのメモリ表示処理の具体例を示すフローチャートである。
【図２１】メモリ表示の具体例を示す図である。
【符号の説明】
【０１０１】
１  血圧計、２  本体、３  操作部、３−１〜３−４  ボタン、４  表示器、５  腕帯、１０  エア管、１３  測定用空気袋、２０  測定用エア系、２１  ポンプ、２２  弁、２３  圧力センサ、２６  ポンプ駆動回路、２７  弁駆動回路、２８  増幅器、２９  Ａ／Ｄ変換器、４０  ＣＰＵ、４１  メモリ部、５０  温度測定部、５２  タイマ部、１０１  血圧測定部、１０３  環境情報入力部、１０５  判断部、１０７  しきい値記憶部、１０９  報知部、１１１  表示処理部、１１３  血圧記録処理部、１１５  しきい値設定部、１１７  環境情報記録処理部、１１９  平均値算出部。
【図１】
2009172098.tif 000003
【図２】
2009172098.tif 000004
【図３】
2009172098.tif 000005
【図４】
2009172098.tif 000006
【図５】
2009172098.tif 000007
【図６】
2009172098.tif 000008
【図７】
2009172098.tif 000009
【図８】
2009172098.tif 000010
【図９】
2009172098.tif 000011
【図１０】
2009172098.tif 000012
【図１１】
2009172098.tif 000013
【図１２】
2009172098.tif 000014
【図１３】
2009172098.tif 000015
【図１４】
2009172098.tif 000016
【図１５】
2009172098.tif 000017
【図１６】
2009172098.tif 000018
【図１７】
2009172098.tif 000019
【図１８】
2009172098.tif 000020
【図１９】
2009172098.tif 000021
【図２０】
2009172098.tif 000022
【図２１】
2009172098.tif 000023